(57)【要約】【課題】加熱コイルに高周波電力を供給して内鍋を誘導加熱制御する誘導加熱式炊飯器における雑音端子電圧を抑制する。【解決手段】炊飯器と商用電源とを接続する電源入力部６０と、加熱コイル５０に高周波電力を供給して内鍋３０を誘導加熱制御する制御部７０とを接続配線する接続配線部８０を少なくとも１回は交差させてなるツイストペア線により構成する。これによって、制御部と電源入力部間に少なくとも２つの略閉区間が形成される。隣接する略閉区間では加熱コイルによりもたらされる磁束変化による誘導起電力が互いに逆位相となり打ち消しあうため、加熱コイルにより発生する磁束変化により生じていた接続配線部での高周波雑音を低下させることができ、このことにより炊飯器から商用電源へ流出する雑音端子電圧の増加を抑制することが可能となる。【選択図】図１
2013218865.tif 000002
【特許請求の範囲】
【請求項１】
上面が開口した炊飯器本体と、前記炊飯器本体の上面開口部を開閉自在に覆う蓋と、前記炊飯器本体内に着脱自在に収納される内鍋と、前記炊飯器本体内の前記内鍋を収納する保護枠と、前記保護枠の底部に設置し前記内鍋の底面および側面下部に沿うよう形成した加熱コイルと、商用電源に接続される電源入力部と、前記加熱コイルに高周波電力を供給して前記内鍋を誘導加熱制御する制御部と、前記電源入力部と前記制御部間を接続配線する接続配線部とを備え、前記接続配線部は少なくとも１回は交差させてなるツイストペア線により構成される炊飯器。
【請求項２】
前記制御部が前記炊飯器本体前方に配置され、前記電源入力部が前記炊飯器本体後方に配置される請求項１に記載の炊飯器。
【請求項３】
前記接続配線部の一部が前記加熱コイル近傍に配置される請求項２に記載の炊飯器。
【請求項４】
前記加熱コイル近傍に配置される前記接続配線部の区間で少なくとも１回は交差させてなるツイストペア線により構成される請求項３に記載の炊飯器。
【発明の詳細な説明】
【技術分野】
【０００１】
本発明は、一般家庭などで利用される加熱コイルに高周波電力を供給して内鍋を誘導加熱する誘導加熱式炊飯器に関するものである。
【背景技術】
【０００２】
従来、この種の炊飯器は図２に示すように構成していた（例えば、特許文献１参照）。
【０００３】
以下、その構成について説明する。
【０００４】
図２は、特許文献１に記載された従来の誘導加熱式炊飯器の前後方向要部断面図を示すものである。図２に示すように、上面が開口した炊飯器本体１０と、炊飯器本体１０の上面開口部を開閉自在に覆う蓋２０と、炊飯器本体１０内に着脱自在に収納される内鍋３０と、炊飯器本体１０内の内鍋３０を収納する保護枠４０と、保護枠４０の底部に設置し内鍋３０の底面および側面下部に沿うよう形成した加熱コイル５０と、炊飯器本体１０後方に配置され炊飯器と商用電源とを接続する電源入力部６０と、炊飯器本体１０前方に配置され加熱コイル５０に高周波電力を供給して内鍋３０を誘導加熱制御する制御部７０と、電源入力部６０と制御部７０間を接続配線する接続配線部９０とを備えており、磁束を通す金属を複数用いた積層体で構成されている内鍋３０は加熱コイル５０と電磁気的に結合しており、加熱コイル５０に高周波電流が流れることで加熱コイル５０に磁束が発生し、この磁束が内鍋３０の金属を通過することで内鍋３０に高周波電流が流れ、内鍋３０は自身のもつ抵抗により発熱する。
【先行技術文献】
【特許文献】
【０００５】
【特許文献１】特開２００８−３６１１２号公報
【発明の概要】
【発明が解決しようとする課題】
【０００６】
しかしながら、このような従来の構成では、加熱コイル５０で発生させる磁束が接続配線部９０とも交差するため、加熱コイル５０で発生させる磁束変化により接続配線部９０で誘導起電力が発生し、この誘導起電力により接続配線部９０で高周波雑音が発生してしまう。このことにより炊飯器から商用電源へ流出する雑音端子電圧が増加していた。
【０００７】
本発明は、上記課題を解決するもので、加熱コイルに高周波電力を供給して内鍋を誘導加熱制御する誘導加熱式炊飯器における雑音端子電圧を抑制することを目的としている。
【課題を解決するための手段】
【０００８】
本発明は上記目的を達成するために、炊飯器と商用電源とを接続する電源入力部と、加熱コイルに高周波電力を供給して内鍋を誘導加熱制御する制御部とを接続配線する接続配線部を少なくとも１回は交差させてなるツイストペア線により構成したものである。
【０００９】
これによって、制御部と電源入力部間に少なくとも２つの略閉区間が形成される。隣接する略閉区間では加熱コイルによりもたらされる磁束変化による誘導起電力が互いに逆位相となり打ち消しあうため、加熱コイルにより発生する磁束変化により生じていた接続配線部での高周波雑音を低下させることができ、このことにより炊飯器から商用電源へ流出する雑音端子電圧の増加を抑制することが可能となる。
【発明の効果】
【００１０】
本発明の誘導加熱式炊飯器は、商用電源へ流出する高周波雑音を抑制することができるので雑音端子電圧を下げることが可能となる。
【図面の簡単な説明】
【００１１】
【図１】本発明の実施の形態における誘導加熱式炊飯器の前後方向要部断面図
【図２】従来の誘導加熱式炊飯器の前後方向要部断面図
【発明を実施するための形態】
【００１２】
第１の発明は、上面が開口した炊飯器本体と、前記炊飯器本体の上面開口部を開閉自在に覆う蓋と、前記炊飯器本体内に着脱自在に収納される内鍋と、前記炊飯器本体内の前記内鍋を収納する保護枠と、前記保護枠の底部に設置し前記内鍋の底面および側面下部に沿うよう形成した加熱コイルと、商用電源に接続される電源入力部と、前記加熱コイルに高周波電力を供給して前記内鍋を誘導加熱制御する制御部と、前記電源入力部と前記制御部間を接続配線する接続配線部とを備え、前記接続配線部は少なくとも１回は交差させてなるツイストペア線により構成することにより、前記加熱コイルによる磁束変化で前記接続配線部に発生する高周波雑音を低下させることができ、炊飯器から商用電源へ流出する雑音端子電圧の増加を抑制することができる。
【００１３】
第２の発明は、特に、第１の発明において、制御部が前記炊飯器本体前方に配置され、前記電源入力部が前記炊飯器本体後方に配置されるものである。
【００１４】
これによって、加熱コイルによる磁束変化で接続配線部に発生する高周波雑音を低下させることができることに加え、高周波雑音が、商用電源に接続される電源入力部に与える影響を抑制することができ、炊飯器から商用電源へ流出する雑音端子電圧の増加をさらに抑制することができる。
【００１５】
第３の発明は、特に、第２の発明において、前記接続配線部の一部が前記加熱コイル近傍に配置されるものである。
【００１６】
これによって、制御部と電源入力部間に少なくとも２つの略閉区間が形成されており、隣接する略閉区間においては、加熱コイルから発生する磁束変化による誘導起電力は互いに逆位相となり打ち消しあうので、狭い空間での制御部と電源入力部間の配線を可能とすることができる。
【００１７】
第４の発明は、特に、第３の発明において、加熱コイル近傍に配置される接続配線部の区間で少なくとも１回は交差させてなるツイストペア線により構成されるものである。
【００１８】
これによって、隣接する略閉区間においては加熱コイルから発生する磁束変化による誘導起電力は互いに逆位相となり打ち消しあうので、接続配線部の配線を簡素な構成とすることができる。
【００１９】
以下、本発明の実施の形態について、図面を参照しながら説明する。なお、この実施の形態によって本発明が限定されるものではない。
【００２０】
（実施の形態）
図１は、本発明の実施の形態における誘導加熱式炊飯器の前後方向要部断面図を示すものである。図１において、炊飯器本体１０の上面には開口部があり、蓋２０は炊飯器本体１０の開口部を開閉自在に覆うものである。炊飯器本体１０内には、ステンレス、鉄などの磁束を通す金属を複数用いた積層体で構成されている内鍋３０を収納する保護枠４０があり、この保護枠４０の底部には内鍋３０の底面および側面下部に沿うよう形成した加熱コイル５０が設置されている。
【００２１】
炊飯器本体１０後方には炊飯器と商用電源とを接続する電源入力部６０（例えばコードリールなど）が配置されている。一方、炊飯器本体１０前方には加熱コイル５０に高周波電力を供給して内鍋３０を誘導加熱制御する制御部７０が配置されている。
【００２２】
接続配線部８０は電源入力部６０と制御部７０間を接続配線するもので、接続配線部８０の一部区間は加熱コイル５０近傍に配置されるとともに少なくとも加熱コイル５０近傍に配置される区間において１回以上交差させてなるツイストペア線により構成されるものである。
【００２３】
内鍋３０と加熱コイル５０とは電磁気的に結合しており、加熱コイル５０に高周波電流が流れることで加熱コイル５０に磁束が発生し、この磁束が内鍋３０の金属を通過することで内鍋３０に高周波電流が流れ、内鍋３０は自身のもつ抵抗により発熱し、内鍋３０内の調理物（図示しない）を加熱調理する。調理物は、炊飯前の米と水又は炊き上がったご飯等である。
【００２４】
以上のように構成された誘導加熱式炊飯器について、以下その動作、作用を説明する。
【００２５】
誘導加熱式炊飯器では加熱コイル５０に高周波電流を流すことで生じる磁束変化により、加熱コイル５０と電磁気的に結合している内鍋３０に高周波電流が流れ、内鍋３０はこの高周波電流と自身がもつ抵抗により発熱する。
【００２６】
接続配線部８０を含む加熱コイル５０周辺部品も加熱コイル５０とは電磁気的に結合しているため、加熱コイル５０に高周波電流が流れることで生じる磁束変化による影響を受ける。接続配線部８０は少なくとも加熱コイル５０近傍に配置される区間において１回以上交差させてなるツイストペア線により、制御部と電源入力部間に少なくとも２つの略閉区間が形成されており、隣接する略閉区間においては加熱コイル５０から発生する磁束変化による誘導起電力は互いに逆位相となり打ち消しあうように作用する。このため加熱コイル５０から発生する磁束変化により生じていた接続配線部８０での高周波雑音を低下させることができ、炊飯器から商用電源へ流出する雑音端子電圧の増加を抑制することが可能となる。
【００２７】
また、制御部が炊飯器本体前方に配置され、電源入力部が前記炊飯器本体後方に配置されれている。これによって、加熱コイルによる磁束変化で接続配線部に発生する高周波雑音を低下させることができることに加え、高周波雑音が直接に商用電源に接続される電源入力部に与える影響を抑制することができ、炊飯器から商用電源へ流出する雑音端子電圧の増加をさらに抑制することができる。
【００２８】
また、接続配線部の一部が前記加熱コイル近傍に配置されている。これによって、制御部と電源入力部間に少なくとも２つの略閉区間が形成されるので、隣接する略閉区間においては加熱コイル５０から発生する磁束変化による誘導起電力は互いに逆位相となり打ち消しあうので、狭い空間での制御部と電源入力部間の配線を可能とすることができる。
【００２９】
第４の発明は、特に、第３の発明において、加熱コイル近傍に配置される接続配線部の区間で少なくとも１回は交差させてなるツイストペア線により構成されている。
【００３０】
これによって、隣接する略閉区間においては加熱コイルから発生する磁束変化による誘導起電力は互いに逆位相となり打ち消しあうので、接続配線部の配線を簡素な構成とすることができる。
【産業上の利用可能性】
【００３１】
以上のように、本発明にかかる誘導加熱式炊飯器は、加熱コイルで発生させる磁束変化により商用電源へ流出する高周波雑音の抑制が可能となるので、誘導加熱を用いた他の熱利用機器にも適用できる。
【符号の説明】
【００３２】
１０  炊飯器本体
２０  蓋
３０  内鍋
４０  保護枠
５０  加熱コイル
６０  電源入力部
６５  電源入力接続部
７０  制御部
７５  制御接続部
８０、９０  接続配線部
【図１】
2013218865.tif 000003
【図２】
2013218865.tif 000004